(57)【要約】【課題】コイルを確実に固定し、火花不良が発生しないモータ及び電動送風機を提供することを課題とする。【解決手段】  ロータ軸８と、該ロータ軸８周囲に取り付けられたロータコア９と、該ロータコア９の収納溝１１に巻装されたコイル１２と、前記ロータ軸８の一端に取り付けられ、前記コイル１２の端部１３が接続された整流子１０とを備えたモータ２であって、前記整流子１０の接続部１４までに露出する前記コイル１２の部分を紐１７で複数周巻き付けた。【選択図】  図３
2008160970.tif 000002
【特許請求の範囲】
【請求項１】
ロータ軸と、該ロータ軸の周囲に取り付けられたロータコアと、該ロータコアの収納溝に巻装されたコイルと、前記ロータ軸の一端に取り付けられ、前記コイルの端部が接続された整流子とを備えたモータであって、
前記整流子の接続部までに露出する前記コイルの部分を紐で複数周巻き付けたことを特徴とするモータ。
【請求項２】
前記紐の両端を結び止めしたことを特徴とする請求項１記載のモータ。
【請求項３】
モータと、該モータの軸方向の一端に設けられ、回転することで空気を吸い込むためのファンと、該ファンにより吸い込まれた空気を前記モータ内に案内するディフューザとが備えられた電動送風機であって、前記モータに、前記請求項１又は請求項２のいずれかに記載のモータを用いたことを特徴とする電動送風機。
【発明の詳細な説明】
【技術分野】
【０００１】
本発明は、モータおよび電動送風機に関するものである。
【背景技術】
【０００２】
通常、モータは、ロータコアの収納溝に複数相に巻装されたコイルと、このコイルの端部が接続された整流子とを有するロータを備えている。そして、コイルに電流を流すことでモータ内に磁界が発生し、この磁界を利用してロータが回転できるようになっている（例えば、特許文献１参照）。
【特許文献１】特開２００６−１０９５３２号公報
【発明の開示】
【発明が解決しようとする課題】
【０００３】
図５は、従来のモータのロータ１００部分の構成の一例を示す図であり、図６は、図５におけるコイル１０５と整流子１０３との接続部分を拡大した図である。
【０００４】
ロータ１００には、ロータ軸１０１と、ロータ軸１０１の周囲に取り付けられたロータコア１０２と、ロータ軸１０１の一端に取り付けられた整流子１０３とが備えられている。
【０００５】
ロータコア１０２の周面には、複数の収納溝１０４が形成されており、この収納溝１０４にはコイル１０５が巻装され、更にコイル１０５の上には、ウエッジ１０６が挿入され、コイル１０５が収納溝１０４からはみでないように押さえている。
【０００６】
コイル１０５の端部１０７は整流子１０３の接続部１０８にヒュージング（熱カシメ）によって電気的に接続されている。また、コイル１０５の端部１０７には紐１０９が巻き付けられ、コイル１０５を固定している。
【０００７】
しかし、上記構成のモータは、紐１０９を１周程度巻き付けてコイル１０５を固定しているため、巻数が少なく充分にコイル１０５を押さえることができず、ロータ１００回転時の遠心力や振動によってコイル１０５が整流子１０３の接続部１０８から外れるといった問題がある。
【０００８】
また、コイル１０５の固定用のワニスをコイル１０５に付着させる時に、ワニスが整流子１０３の溝１１０にまで入り込む場合があり、モータ運転時にワニスが遠心力によって浮き上がり、そのワニスがカーボンブラシと接触し大きな火花が発生するといった問題がある。
【０００９】
この発明は、かかる技術背景のもとになされたものであり、コイルを確実に固定し、火花不良が発生しないモータ及び電動送風機を提供することである。
【課題を解決するための手段】
【００１０】
上記課題を解決するための請求項１記載の発明は、ロータ軸と、該ロータ軸の周囲に取り付けられたロータコアと、該ロータコアの収納溝に巻装されたコイルと、前記ロータ軸の一端に取り付けられ、前記コイルの端部が接続された整流子とを備えたモータであって、前記整流子の接続部までに露出する前記コイルの部分を紐で複数周巻き付けたことを特徴とするモータである。
【００１１】
請求項２の発明は、前記紐の両端を結び止めしたことを特徴とする請求項１記載のモータである。
【００１２】
請求項３の発明は、モータと、該モータの軸方向の一端に設けられ、回転することで空気を吸い込むためのファンと、該ファンにより吸い込まれた空気を前記モータ内に案内するディフューザとが備えられた電動送風機であって、前記モータに、前記請求項１又は請求項２のいずれかに記載のモータを用いたことを特徴とする電動送風機である。
【発明の効果】
【００１３】
本発明の請求項１によれば、整流子の接続部までに露出する前記コイルの部分を紐で複数周巻き付けたので、前記コイルの端部を押さえる面積が増え、遠心力や振動で前記コイルが前記整流子から外れることを防止できる。また、紐を従来よりも多く巻き付けることによって、ワニスを前記コイルに付着させるときに、ワニスが前記整流子の溝にまで広がることを防止し、火花不良の発生を防止することができる。
【００１４】
本発明の請求項２によれば、紐の両端を簡単な方法で処理できるとともに、紐の緩みを防止でき、確実に前記コイルを固定できる。
【００１５】
本発明の請求項３によれば、遠心力及び振動によって前記コイルが前記整流子から外れることを防止し、また火花不良の発生も抑えることができる電動送風機を提供することができる。
【発明を実施するための最良の形態】
【００１６】
本発明の実施形態を図１乃至図６に基づいて以下に説明する。
【００１７】
図１は、本発明の実施形態にかかる電動送風機の構成を示す側面図である。図２は、同ロータの構成を示す図である。図３は、図２における要部の拡大図である。図４は、紐の両端処理を示した図である。図５は、従来のロータの構成を示す図である。図６は、コイルが整流子から外れたときの状態を示す図である。
【００１８】
１は、電気掃除機本体内に内蔵される電動送風機で、該電動送風機１は、モータ２と、該モータ２の軸方向の一端に設けられ、回転することで空気を吸い込むためのファン３と、該ファン３により吸い込まれた空気を前記モータ２内に案内するディフューザ４と、前記ファン３を覆うファンカバー５と、前記モータ２を覆うモータカバー６とを備えている。
【００１９】
７は、前記モータ２のロータであり、図２に示すようように前記ロータ７は、長手のロータ軸８と、該ロータ軸８の中央部に取り付けられたロータコア９と、前記ロータ軸７の一端に取り付けられた整流子１０とを備えている。
【００２０】
１１は、前記ロータコア９の周面に複数形成された収納溝で、該収納溝１１に複数相のコイル１２が巻装され、該コイル１２は、ワニスにより固定されている。そして、前記コイル１２の端部１３は、前記整流子１０の接続部１４にヒュージング（熱カシメ）によって電気的に接続されている。
【００２１】
１５は、前記収納溝１１に挿入されるウエッジで、前記ロータ７回転時の遠心力や振動によって、巻装された前記コイル１２が前記収納溝１１からはみでないように前記コイル１２を押さえている。
【００２２】
１６は、前記モータカバー６の周面に複数取り付けられたブラシ体であり、その一部が前記整流子１０に当接している。
【００２３】
１７は、前記コイル１２の端部１３を固定する紐（本実施例は凧糸を使用）で、前記整流子１０の接続部１４までに露出する前記コイル１２の端部１３を複数周（本実施例では約５周）巻き付けて固定している。隣り合う前記紐１７同士は、互いに少しずつ重合しており隙間がないように巻き付けられている。そして、前記紐１７の両端（前記ロータ７側の１周目と前記整流子１０側の５周目）の径は、前記紐１７の両端で挟まれる内側（２周目〜４周目）の径よりも大きくなるように巻き付けられている。
【００２４】
前記紐１７を従来よりも多く巻き付けることによって、前記コイル１２の端部１３を押さえる面積が増え、遠心力や振動で前記コイル１２が前記整流子１０の接続部１３から外れることを防止できるようになっている。また、ワニスを前記コイル１２に付着させるときに、ワニスが前記整流子１０の溝１８にまで広がることを防止し、火花不良の発生を防止することができる。
【００２５】
前記紐１７の両端は、図４のＡ部分に示すように結び止めにより処理されており、簡単な方法で前記紐１７の緩みを防止でき、確実に前記コイル１２を固定できる。
【００２６】
本実施例では、前記整流子１０の接続部１４までに露出する前記コイル１２の端部１３を前記紐１７で複数周巻き付けて固定しているが、帯状の紐で１周巻き付けても同様の効果を得ることができる。
【００２７】
上記の構成により、遠心力及び振動によって前記コイル１２が前記整流子１０の接続部１４から外れることを防止し、また火花不良の発生も抑えることができる電動送風機を提供することができる。
【図面の簡単な説明】
【００２８】
【図１】図１は、本発明の実施形態にかかる電動送風機の構成を示す側面図である。
【図２】図２は、同ロータの構成を示す図である。
【図３】図３は、図２における要部の拡大図である。
【図４】図４は、紐の両端処理を示した図である。
【図５】図５は、従来のロータの構成を示す図である。
【図６】図６は、コイルが整流子から外れたときの状態を示す図である。
【符号の説明】
【００２９】
８        ロータ軸
９        ロータコア
１１        収納溝
１２        コイル
１０        整流子
２        モータ
１４        接続部
１７        紐
３        ファン
４        ディフューザ
１        電動送風機
【図１】
2008160970.tif 000003
【図２】
2008160970.tif 000004
【図３】
2008160970.tif 000005
【図４】
2008160970.tif 000006
【図５】
2008160970.tif 000007
【図６】
2008160970.tif 000008